(57)【要約】【課題】電子キーの登録作業にかかる負担を軽減し、正確且つ円滑な登録作業を可能とする。【解決手段】施解錠制御システム１は、共用部に設けられた自動扉２と、自動扉２の解錠を認証するための認証用識別情報が記憶された電子キー４から、認証用識別情報を受信するための自動扉用受信装置５と、自動扉用受信装置５が受信した認証用識別情報が、予め登録した登録情報と一致したときに自動扉を解錠するように制御する制御装置７とを備え、複数の電子キー４が共通の認証用識別情報を記憶して一つのグループとしてパッケージ化され、そのパッケージ１４には共通の認証用識別情報と同一の登録用識別情報が記憶された登録用部材としての登録用ＩＣタグ１６が付帯される。【選択図】図１
2014136918.tif 000002
【特許請求の範囲】
【請求項１】
共用部に設けられた共用扉の解錠を認証するための認証用識別情報が記憶された電子キーについて、
共通の前記認証用識別情報が記憶された複数の電子キーを一つのグループとして有するパッケージに付帯され、前記共通の認証用識別情報と同一の登録用識別情報が記憶されていることを特徴とする電子キーの登録用部材。
【請求項２】
前記パッケージは、前記複数の電子キーの全てを包含可能な箱体又は袋体であり、
前記登録用部材は、前記箱体又は袋体の表面に張り付けられるＩＣタグであることを特徴とする請求項１に記載の電子キーの登録用部材。
【請求項３】
前記パッケージは、前記複数の電子キーの全てを一つにまとめる結束具であり、
前記登録用部材は、前記複数の電子キーと共に前記結束具に結束されるＩＣタグであることを特徴とする請求項１に記載の電子キーの登録用部材。
【請求項４】
共用部に設けられた共用扉と、
前記共用扉の解錠を認証するための認証用識別情報が記憶された電子キーから、前記認証用識別情報を受信するための受信装置と、
前記受信装置が受信した前記認証用識別情報が、予め登録した登録情報と一致したときに前記共用扉を解錠するように制御する制御装置とを備え、
複数の前記電子キーが共通の前記認証用識別情報を記憶して一つのグループとしてパッケージ化され、そのパッケージには前記共通の認証用識別情報と同一の登録用識別情報が記憶された登録用部材が付帯されたことを特徴とする施解錠制御システム。
【発明の詳細な説明】
【技術分野】
【０００１】
本発明は、電子キーの登録用部材、及び電子キーに記憶した識別情報であって共用部扉の施解錠の認証に要するものを登録する施解錠制御システムに関する。
【背景技術】
【０００２】
従来から、住居人等に専有される各住戸の専有部と、全ての住居人等が共用して使用可能な共用部とを有するマンション等の集合住宅では、専有部を区分する専有扉にはディンプルキー等のメカニカルキーで施解錠可能な錠前を設け、共用部を区分する共用扉には識別情報を記憶させたリモコン型やカード型の非接触式の電子キーで施解錠可能な電気錠付きのドアや自動扉を設けている。そして、この集合住宅のような施設では、施解錠を管理及び制御する制御装置と、電子キーから識別情報を受信する受信装置とを備えた施解錠制御システムを採用している。
【０００３】
また、施解錠制御システムでは、例えば特許文献１に開示される設備制御システムのように、制御装置及び受信装置を登録モードと認証モードとに切り換えて動作させる。登録モードでは、制御装置に備わるリーダーで電子キーから識別情報を読み取ると、制御装置がこの識別情報を電気錠の施解錠を許可する登録情報として登録する。一方、認証モードでは、受信装置が無線通信により電子キーから識別情報を受信すると、制御装置がこの識別情報を予め登録されている登録情報と一致するか否かを判定し、一致した場合に識別情報を正当と認証すると共に電気錠を駆動して施解錠を行っている。
【先行技術文献】
【特許文献】
【０００４】
【特許文献１】特開２０１１−１７５３４４号公報
【発明の概要】
【発明が解決しようとする課題】
【０００５】
集合住宅のように多数の専有部を有する施設では、共用部の利用者が多数存在するため、共用部への入退場を許可する識別情報を記憶した相当数の電子キーを準備する必要がある。通常、電子キーは、ＩＣチップに搭載されるメモリに共用部用の識別情報を記憶した状態で出荷され、利用される施設及び施解錠制御システムの決定後に、そのシステムの制御装置に登録されることとなる。しかしながら、従来の施解錠制御システムでは、多数の電子キーから登録しようとする電子キーを一つずつ取り出し、制御装置及び受信装置を登録モードに切り換え、識別情報を受信装置に受信させて制御装置に登録するといった一連の作業が、全ての電子キーについて必要となる。このような多数の電子キーの登録作業は、施解錠制御システムにおける施工者や管理者等の作業員にとって非常に煩雑で手間がかかり、負担が増大していて、更に、登録の漏れ、間違いや勘違いを引き起こす原因になっている。
【０００６】
本発明は、上記した課題を解決すべくなされたものであり、電子キーの登録作業にかかる負担を軽減し、正確且つ円滑な登録作業を可能とすることを目的とするものである。
【課題を解決するための手段】
【０００７】
上記課題を解決するために、本発明の第１の電子キーの登録用部材は、共用部に設けられた共用扉の解錠を認証するための認証用識別情報が記憶された電子キーについて、共通の前記認証用識別情報が記憶された複数の電子キーを一つのグループとして有するパッケージに付帯され、前記共通の認証用識別情報と同一の登録用識別情報が記憶されていることを特徴とする。
【０００８】
上述した本発明の第１の電子キーの登録用部材によれば、登録用部材に記憶した登録用識別情報を一つだけ制御装置に登録すれば、パッケージ化されている複数の電子キーのそれぞれに記憶した認証用識別情報が全て制御装置に登録されたことになる。これにより、電子キーが多数存在する場合でも、電子キーの梱包を解いて取り出してから登録するまでの一連の登録作業を全ての電子キーについてする必要がなく、電子キーの登録作業が簡略化され、作業員にかかる負担が軽減される。また、電子キーの登録作業をグループ毎に行うことができるため、電子キーのグループ間の混在や、登録の漏れ、間違いや勘違いが無くなり、正確且つ円滑な登録作業を行うことができる。
【０００９】
本発明の第２の電子キーの登録用部材は、上述した本発明の第１の電子キーの登録用部材において、前記パッケージは、前記複数の電子キーの全てを内包可能な箱体又は袋体であり、前記登録用部材は、前記箱体又は袋体の表面に張り付けられるＩＣタグであることを特徴とする。
【００１０】
上述した本発明の第２の電子キーの登録用部材によれば、電子キーを箱体や袋体から取り出すことなく、認証用識別情報を制御装置に登録することができ、電子キーの登録作業がより簡略化され、作業員にかかる負担がより軽減される。
【００１１】
本発明の第３の電子キーの登録用部材は、上述した本発明の第１の電子キーの登録用部材において、前記パッケージは、前記複数の電子キーの全てを一つにまとめる結束具であり、前記登録用部材は、前記複数の電子キーと共に前記結束具に結束されるＩＣタグであることを特徴とする。
【００１２】
上述した本発明の第３の電子キーの登録用部材によれば、簡易な構造で登録用部材と複数の電子キーとが一つにパッケージ化され、電子キーの登録作業がより簡略化され、作業員にかかる負担がより軽減される。
【００１３】
また、本発明の施解錠制御システムは、共用部に設けられた共用扉と、前記共用扉の解錠を認証するための認証用識別情報が記憶された電子キーから、前記認証用識別情報を受信するための受信装置と、前記受信装置が受信した前記認証用識別情報が、予め登録した登録情報と一致したときに前記共用扉を解錠するように制御する制御装置とを備え、複数の前記電子キーが共通の前記認証用識別情報を記憶して一つのグループとしてパッケージ化され、そのパッケージには前記共通の認証用識別情報と同一の登録用識別情報が記憶された登録用部材が付帯されたことを特徴とする。
【００１４】
上述した本発明の施解錠制御システムによれば、登録用部材に記憶した登録用識別情報を一つだけ制御装置に登録すれば、パッケージ化されている複数の電子キーのそれぞれに記憶した認証用識別情報が全て制御装置に登録されたことになる。これにより、電子キーが多数存在する場合でも、電子キーの梱包を解いて取り出してから登録するまでの一連の登録作業を全ての電子キーについてする必要がなく、電子キーの登録作業が簡略化され、作業員にかかる負担が軽減される。また、電子キーの登録作業をグループ毎に行うことができるため、電子キーのグループ間の混在や、登録の漏れ、間違いや勘違いが無くなり、正確且つ円滑な登録作業を行うことができる。
【発明の効果】
【００１５】
本発明によれば、電子キーの登録作業にかかる負担を軽減し、正確且つ円滑な登録作業を行うことができる。
【図面の簡単な説明】
【００１６】
【図１】本発明の一実施形態に係る施解錠制御システムの概略を示す模式図である。
【図２】本発明の一実施形態に係る施解錠制御システムで登録される電子キーの梱包状態を示す斜視図である。
【発明を実施するための形態】
【００１７】
本発明の一実施形態に係る施解錠制御システムについて、添付の図面を参照しながら説明する。図１は本発明の一実施形態に係る施解錠制御システムの概略を示す模式図、図２は本発明の一実施形態に係る施解錠制御システムで登録される電子キーの梱包状態を示す斜視図である。
【００１８】
図１に示されるように、施解錠制御システム１は、自動扉（共用部扉）２で区分される共用部と、複数の開き扉（専有部扉）３で区分される複数の専有部とを有する集合住宅等の施設に採用される。また、施解錠制御システム１は、電子キー４と通信可能な自動扉用（共用部扉用）の受信装置５及び開き扉用（専有部扉用）の受信装置６とを備え、更に、自動扉２や開き扉３の施解錠を管理及び制御するための制御装置７を備えている。なお、図１では、便宜上一つの開き扉３のみを図示する。
【００１９】
自動扉２は、制御装置７と接続された自動扉用（共用部扉用）電気錠８を備え、自動扉用電気錠８が解錠状態の場合には人感センサー等の検知器９による入室者の検知に応じて開扉可能で、施錠状態の場合には検知器９による検知結果に拘らず開扉不能に構成される。自動扉用電気錠８は、制御装置７によって施解錠が制御され、例えば、非接触キーである電子キー４に記憶された識別情報であって自動扉２の解錠を認証させるための第１認証用識別情報を自動扉用受信装置５に受信させ、制御装置７に認証させたときに解錠され、自動扉２が閉じてから所定時間経過後に施錠される。
【００２０】
開き扉３は、制御装置７と接続された開き扉用（専有部扉用）電気錠１０を備え、開き扉用電気錠１０は、制御装置７によって施解錠が制御され、例えば、電子キー４に記憶された識別情報であって開き扉３の解錠を認証させるための第２認証用識別情報を開き扉用受信装置６に受信させ、制御装置７に認証させたときに解錠され、開き扉３が閉じてから所定時間経過後に施錠される。なお、開き扉用電気錠１０は、シリンダー等を有する錠機構を備えて構成され、制御装置７による制御に拘らずメカニカルキー１１でも施解錠可能に構成される。
【００２１】
電子キー４は、施設の管理者や入居者等の利用者に保持されるもので、例えば、開き扉３のメカニカルキー１１と一体的に組み合わされる。電子キー４は、メカニカルキー１１の頭部を脱着可能に収容するキー収容部１２を備え、メカニカルキー１１がキー収容部１２内に挿入された状態の電子キー４は、メカニカルキー１１の頭部として機能する。また、電子キー４は、認証用ＩＣチップ（図示せず）を内蔵し、認証用ＩＣチップは、自動扉２の解錠を認証させるための第１認証用識別情報、例えば入居者の専有部の部屋番号と、開き扉３の解錠を認証させるための第２認証用識別情報、例えば入居者が任意に登録する位置番号とを記憶し、例えば、４バイトの部屋番号データと４バイトの位置番号データとからなる８バイトのデータを記憶可能に構成される。
【００２２】
特に、電子キー４は、所定数個（例えば、８個）毎にグループ化され、グループ毎に共通の第１認証用識別情報を記憶する。一つのグループを構成する所定数個の電子キー４は、図２に示されるように、一つの箱体等のパッケージ１４に内包され、パッケージ１４には、例えばその蓋部１５に、登録用ＩＣタグ（登録用部材）１６が付帯される。登録用ＩＣタグ１６は、登録用識別情報を記憶するための登録用ＩＣチップ（登録用記憶部）１７を備え、登録用識別情報は、電子キー４の各グループで共通の第１認証用識別情報と同じである。
【００２３】
自動扉用受信装置５及び開き扉用受信装置６は、自動扉２及び開き扉３の付近にそれぞれ設けられ、制御装置７と配線を介して接続している。自動扉用受信装置５及び開き扉用受信装置６は、例えば、電子キー４と無線通信するための非接触式のリーダーであり、電子キー４との無線通信により認証用ＩＣチップに記憶された識別情報を読み取り、読み取った識別情報を制御装置７へと送信する。
【００２４】
制御装置７は、施解錠制御システム１の全体の動作を統括制御するＣＰＵ（Ｃｅｎｔｒａｌ  Ｐｒｏｃｅｓｓｉｎｇ  Ｕｎｉｔ）等の制御部１８と、この制御部１８による制御に必要な情報を記憶するメモリ等の記憶部１９とを備える。また、制御装置７は、動作モードを登録モード又は認証モードに切り換えるためのモード切換ボタン２０と、電子キー４と無線通信するための登録用受信部２１とを備える。更に、制御装置７は、識別情報を登録するための識別情報登録部２２と、識別情報を認証するための識別情報認証部２３とを備える。なお、識別情報登録部２２及び識別情報認証部２３は、記憶部１９に記憶され、制御部１８によって処理されるプログラムで構成されてよい。
【００２５】
記憶部１９は、登録モード及び認証モードの何れかを示す動作モードを記憶し、また、自動扉用電気錠８の解錠を許可すべき識別情報を第１登録情報として記憶し、更に、開き扉用電気錠１０の解錠を許可すべき識別情報を第２登録情報として記憶する。なお、記憶部１９は、複数の第１登録情報及び複数の第２登録情報を記憶してよい。
【００２６】
モード切換ボタン２０は、施設の施工者や管理者等の任意で押圧することにより動作モードを登録モード及び認証モードの何れかに切り換えるもので、記憶部１９に記憶されている動作モードが登録モードの場合には認証モードに書き換え、認証モードの場合には登録モードに書き換える。なお、モード切換ボタン２０は、施工者や管理者等のように、管理権限を有する作業員のみによって操作可能に設けられるとよい。
【００２７】
登録用受信部２１は、例えば、登録用ＩＣタグ１６と無線通信するための非接触式のリーダーであり、登録用ＩＣタグ１６との無線通信により登録用ＩＣチップ１７に記憶された識別情報を読み取り、読み取った識別情報を識別情報登録部２２へと伝達する。
【００２８】
識別情報登録部２２は、動作モードが登録モードのとき、登録用受信部２１で読み取られた登録用識別情報を、第１登録情報として記憶部１９に記憶して登録する。
【００２９】
識別情報認証部２３は、動作モードが認証モードのとき、自動扉用受信装置５から送信された第１認証用識別情報について、記憶部１９に登録されている複数の第１登録情報と比較し、何れかの第１登録情報と一致した場合に、自動扉用電気錠８の解錠を許可してよいことを認証する。そして、制御部１８は、自動扉用電気錠８を駆動して解錠するように制御する。
【００３０】
また、識別情報認証部２３は、動作モードが認証モードのとき、開き扉用受信装置６から送信された第２認証用識別情報について、記憶部１９に登録されている複数の第２登録情報と比較し、何れかの第２登録情報と一致した場合に、開き扉用電気錠１０の解錠を許可してよいことを認証する。そして、制御部１８は、開き扉用電気錠１０を駆動して解錠するように制御する。
【００３１】
次に、このような構成を備えた施解錠制御システム１において、電子キー４に記憶された第１認証用識別情報を制御装置７へと登録する動作について説明する。
【００３２】
予め、施解錠制御システム１に利用される電子キー４は、所定数個（例えば８個）毎に共通の第１認証用識別情報と個別の第２認証用識別情報とを認証用ＩＣチップに記憶するように製造され、図２に示されるように、その所定数個毎に一つのパッケージ１４に梱包される。この共通の第１認証用識別情報と同じ登録用識別情報が登録用ＩＣチップ１７に記憶され、この登録用ＩＣチップ１７を備えた登録用ＩＣタグ１６が製造されて、パッケージ１４の蓋部１５に張り付けられる。なお、電子キー４は、パッケージ１４に梱包された状態のまま、施解錠制御システム１が採用される施設の施工者や管理者等に引き渡される。
【００３３】
施工者や管理者等の作業員は、先ず、制御装置７のモード切換ボタン２０を操作して、制御装置７の動作モードを登録モードへと切り換える。
【００３４】
次に、作業員は、電子キー４を有するパッケージ１４に付帯された登録用ＩＣタグ１６を取り出し、制御装置７の登録用受信部２１に接近させることにより、登録用ＩＣチップ１７に記憶された登録用識別情報を登録用受信部２１に読み取らせる。登録用受信部２１は、読み取った登録用識別情報を識別情報登録部２２へと伝達する。
【００３５】
識別情報登録部２２では、動作モードが登録モードであるため、登録用受信部２１からの登録用識別情報を記憶部１９に記憶して第１登録情報として登録する。
【００３６】
その後、電子キー４が入居者に引き渡された後、入居者は、各自の開き扉用受信装置６を用いて電子キー４に記憶された第２認証用識別番号を読み取らせ、開き扉用電気錠１０を解錠するための第２登録情報として制御装置７に登録する。
【００３７】
本実施形態では上述のように、一つのグループの電子キー４が共通の第１認証用識別情報を記憶すると共に、登録用ＩＣタグ１６がこの共通の第１認証用識別情報と同じ登録用識別情報を記憶し、一つのグループの電子キー４を一つのパッケージ１４に梱包すると共に、このパッケージ１４の表面である蓋部１５に登録用ＩＣタグ１６を張り付けて付帯させている。このため、登録用ＩＣタグ１６に記憶した登録用識別情報を一つだけ制御装置７に登録すれば、パッケージ化されている複数の電子キー４のそれぞれに記憶した第１認証用識別情報が全て制御装置７に登録されたことになる。従って、電子キー４が多数存在する場合でも、電子キー４の梱包を解いて取り出してから登録するまでの一連の登録作業を全ての電子キー４についてする必要がなく、電子キー４の登録作業にかかる負担が軽減される。また、電子キー４の登録作業をグループ毎に行うことができるため、電子キー４のグループ間の混在や、登録の漏れ、間違いや勘違いが無くなり、正確且つ円滑な登録作業を行うことができる。
【００３８】
本実施形態では、一つのグループを構成する所定数個の電子キー４を箱体等のパッケージ１４に内包し、その蓋部１５に登録用ＩＣタグ１６を張り付ける構成を説明したが、この構成には限定されず、電子キー４がグループ毎にパッケージ化され、このパッケージ１４に登録用ＩＣタグ１６を付帯する構成であればよい。例えば、パッケージ１４としての箱体に登録用ＩＣタグ１６を内包してもよいし、あるいは袋体をパッケージ１４として採用して、この袋体の表面に登録用ＩＣタグ１６を張り付けてもよい。また、結束バンドや結束チェーン等の結束具で所定数個の電子キー４を結束することでパッケージ化し、この結束具をパッケージ１４として電子キー４と共に登録用ＩＣタグ１６を結束してもよい。
【００３９】
また、本実施形態では、電子キー４がメカニカルキー１１と一体的に組み合わされ、メカニカルキー１１の頭部を収容する構成を説明したが、この構成には限定されない。例えば、電子キー４は、メカニカルキー１１のブレード部分が折り畳まれ、引出可能に構成してもよい。また、電子キー４は、メカニカルキー１１とは別体のリモコンキーやカードキーで構成されてもよい。
【００４０】
更に、本実施形態では、登録用部材として登録用ＩＣチップ１７を備えた登録用ＩＣタグ１６を使用する構成を説明したが、この構成には限定されない。例えば、登録用部材が登録用識別情報を示すバーコードの印刷物で構成されると共に、制御装置７の登録用受信部２１がバーコードを読み取るバーコードリーダーで構成されてもよい。
【００４１】
本発明の施解錠制御システムは、マンション等の集合住宅だけでなく、ホテルやオフィスビル等の商業施設又は公共施設や、病院、リクリエーション施設、店舗、ショッピングセンター、学校等のように関係者以外の入場の制限される共用部を有する様々な建物に適用することが可能である。
【００４２】
また、本発明は、請求の範囲および明細書全体から読み取ることのできる発明の要旨または思想に反しない範囲で適宜変更可能であり、そのような変更を伴う施解錠制御システムもまた本発明の技術思想に含まれる。
【符号の説明】
【００４３】
１  施解錠制御システム
２  自動扉
４  電子キー
５  自動扉用受信装置
７  制御装置
１４  パッケージ
１６  登録用ＩＣタグ（登録用部材）
【図１】
2014136918.tif 000003
【図２】
2014136918.tif 000004